(57)【要約】      （修正有）【課題】烏により食い荒らされる被害を完全に効果的に西瓜などの果実を守護し得て被害を防止できる防止器を提供する。【解決手段】鳥特に烏により西瓜などが食い荒らされる被害を防止する防止器１において、西瓜などを安全に維持し保護できる傘状に複数の柱２に鋼の針金４を巻設した防止器１を構成した。これにより烏の被害を完全に抑える事が出来、防止度の高い防止器１を提出できると共に大玉の西瓜を栽培する事が出来る。【選択図】図１
2020108347.tif 000002
【特許請求の範囲】
【請求項１】
複数の柱の上端部を、鋼鉄の針金を緩く一束に結ぶ用意した防止器本体８型紙に設け複数角状に設けた各孔口に各柱の下部先端部をそれぞれ突設して所定の傘状に展開して鋼鉄の発条の針金でその各下部辺に止金を介して該防止器を１周するとともにその上部鋼鉄の針金を止金に介して渦巻状に巻設して設けた防止器。
【請求項２】
正確に且迅速に一定の角形状の防止器をなし得るために、一定の正角状に設けた各孔口に各柱を突立様になし得る出来る型紙を有して設けたて用意した請求項１記載の防止器
【発明の詳細な説明】
【技術分野】
【０００１】  本発明は、栽培する果実の烏の被害を防止する防止器に関する。
【背景技術】
【０００２】  農地や庭園などに於いて、西瓜を畑栽培すると鳥特に烏に見つけられて食い荒らされるので、種々とその被害を防止する器具が欲するか得られず自作してその防護に対等をたてて努めている様であるが、完全に防止し得る防具が見当たらず苦慮している上体である事が一般の事情である。
【発明の概要】
【発明を解決しようとする課題】
【０００３】  以上述べた様に、烏の被害に対する防止器具類は、効果を有する器具類が一般には容易に手にする物が見当たらず、野地に西瓜などを栽培する農家や個人においても大きな悩みの種である。
【０００４】  本発明は、この様な悩みを有している課題を解決しようとする物であり、この烏による食い荒らされる被害を完全に効果的に西瓜などの果実を守護し得て被害を防止できる防止器を実現することを目的とした物である。
【課題を解決するための手段】
【０００５】  そして、本発明は上記目的を達成するために、６本の柱をその上端部を針金で緩やかに結んで１束に設けるとともにその下端部を展開して尚１本の針金で正６角形状に定板を各々介して確実なる様に設定して下部に結んだ針金の一辺より更に１本の針金で上方部に向けて渦巻状に３週して設けて防止器を構成する
【０００６】  この際、防止器を同形状にて多数量を早急に設け得るために、ダンボールなどの厚紙に正６角形に孔口を強力なる様にして設けてこの各孔口に６本の柱を突立てて更に１本針金で上記の様に渦巻に設けて構成し得たものである。
【０００７】  この際、本発明は、６角形状に展開された防止器のその内面部の広さを大玉の西生成する出来る事に充分に裕りある広さを有する様に設けてあるものである。
【０００８】  こうして、本発明の第２の課題解決手段は、防止器の下部辺に止金を介して１本の発条弾性の鋼鉄の針金で核防止器を１周して６角の形状を崩れることがない様に常時固定される様に設けられたものである。
【０００９】  また、第３の課題解決手段は、１周した針金の一部より止具を介して１本の鋼鉄で防止器を渦巻状で右回りに拳大の間隔で３周して完全な防止器を設けて構成されたものである。
【００１０】  更に、本発明の第４の解決手段は、防止器の上端部に深皿で取外し可能に蓋を被せてその上部をハンマーなどで叩いて防止器の各柱を地中に埋めて核防止器を悉皆りと建立して何者にも動かされる様のない様に設けられるものである。
【００１１】  その際、本発明は６本の柱で設けられてあるがこれは防止器の形状によっては本数は自由に設ける事が出来る。  また針金の巻き方も左右何れから数巻しても良い、更に巻間隔もまた自由間隔に巻くことが出来るものである。
【００１２】  以上に述べた様に、本発明は構造が至って簡単で簡潔あるのでその組立や解体も容易でありまた多数の要望にも必要にも応じられて尚安易に扱い得て、更に資材も少量で済み加工部品や加工も安価に出来るので大量に要する際にも速やかに調達する事が出来て実用的容易に供給し得る事が出来る効果を発揮する事が出来るものである。
【００１３】  上述した様に、本発明の効果は、設ける事が簡単に容易に組立て解体が出来てまた多数の数量の要望にも速やかに充分に応じられる事が出来て且取付すれば完全に烏の被害に対て防止度の高い防止器を提供し得る事が出来る事である。
【００１４】  また本発明の効果は、細いパイプと針金で構成されてあるのでその内部の物体に対して陽の光が充分に当る事が出来てその果実に全く良い効果を及ぼして更なる効果を発揮する事である。
【図面の簡単な説明】
【００１５】
【図１】  本発明の実施形態を示す防止器の部分断面正面図
【図２】  同防止器のＡ―Ａ線断面図
【発明を実施するための形態】
【００１６】以下、本発明の実施の形態を図１〜図３に基づいて説明する。
【００１７】  図においては、１は本発明を構成した状態の防止器で、６本のパイプ状の柱２で各下部の先端を、先づダンボールなどで設けた型紙５に６角形状に設けた各孔口６にそれぞれ差込突立てして核防止器１を半傘状に展開して設けてしてなるものである。
【００１８】  ７は、小片の縦長の定板で、その両端部を柱の直径に合わせて凹部を設けるとともに断面コ字状に折曲８して形成してその各凹部を各柱２下部辺に一定の高さにしてそれぞれ溶着してなるものである。
【００１９】  また９は、鋼鉄の針金で、その一端部を健状に折曲Γして正面の柱２´の定番７に引掛すると共に各柱２の各足板７を介して防止器１を１周して地上に傘状に展開して他端部を正面の柱２に引掛してそれを保持し得て固定できるように設けて形成する者である。
【００２０】  更に１０は、同じく鋼鉄の針金で、同じくその一端部を健状に折曲して正面の柱２´の正面部の定板７´に同じく引掛して各柱２の定板７を介して拳大の間隔をとって防止器１を渦巻状にして３周して核針金１０を上部辺に溶してある定板７に同じく折曲した健部を引掛けして核防止器１を構成したものである。
【００２１】  この際、本発明は、防止器１の下部が針金９の弾力に抗して傘状の状態が崩されることが完全に維持されているのであり、まだ針金１１により右回りに３周されてあるがこれは左右何れの方向巻か何週まかれてもよい。
【００２２】  以下、上記構成の動作を説明する。小径のパイプと鋼鉄の針金で形成せれてあるので軽量であって多数個が全く型崩もなく圃上に移送されるという効果を発揮する。また防止器が蓋１２を叩いて各柱２、２´が地中に突立てられるので少しの妨害にあっても倒れる事などもなく悉皆りと建設されていることである。
【００２３】  また、防止器１の本体が柱２に各針金９、１０で構成されてあるので陽の光を充分に受けられるのでその内部が温まり易い効果を発揮する。以上の様に本実施形態によれば図されていないが内部に生育されて果実は所望する大きさに成長すると言う効果を発揮する。以上の様に、本実施形態によれば完全に防止効果が得られるものである。
【符号の説明】
【００２４】１    防止器
２´  柱
４    針金
５    型紙
７    定板
９    釘金
１０  針金
【図１】
2020108347.tif 000003
【図２】
2020108347.tif 000004